(57)【要約】【課題】  独居老人および単身生活者の在宅および安否確認を、安価なシステムで且つ確認する側の労力を低減しながら実現できる電話機を提供する。【解決手段】  時刻および設定したタイマー時間を計測する計測部６，７と、電話番号やタイマー時刻や鳴動時間や音声メッセージや暗証コードを記憶するメモリー部１２と、回線の捕捉および切断をおこなうフック処理部９と、メモリー部１２に記憶されている電話番号を自動発信するダイヤル送出回路８と、相手の電話機のオフフックを検出する極性反転検出回路１０と、これらを制御する演算処理部２１とを備え、計測部６，７で計時される所定時刻毎に電話機１が鳴動し、鳴動している間に本電話機１のキー５を押下することにより鳴動を停止し、押下しなかった場合、所定の電話機に自動発信して音声メッセージを通知する。【選択図】      図１
2005094342.tif 000002
【特許請求の範囲】
【請求項１】
電話回線に接続されて他の電話機との間で通信が可能な電話機において、
所定時刻または所定時間毎に発信する計測部と、
予め登録された指定電話番号を記憶するメモリー部と、
回線の捕捉および切断を行うフック処理部と、
上記メモリー部に記憶されている指定電話番号に対して自動発信可能なダイヤル送出部と、
上記他の電話機のオフフックを検出する極性反転検出部と、
上記計測部、メモリー部、フック処理部、ダイヤル送出部、極性反転検出部との間で信号の送受信が可能であって、これらを制御する演算処理部と、
上記計測部が発信動作を行う毎に在宅確認用の鳴動動作を実行する鳴動手段とを備えていることを特徴とする在宅確認機能を有する電話機。
【請求項２】
請求項１記載の在宅確認機能を有する電話機において、
メモリー部には、指定電話番号、計測部の発信時間、鳴動継続時間、指定電話番号の電話機に向けて送信するための音声メッセージ、他の電話機からの設定変更操作を許可するための暗証コードが記憶されていることを特徴とする在宅確認機能を有する電話機。
【請求項３】
請求項１または２記載の在宅確認機能を有する電話機において、
鳴動手段の鳴動開始後、所定時間以内にキーの押下操作が行われない場合、ダイヤル送出部が、メモリー部に記憶されている指定電話番号に自動発信し、在宅が未確認である旨の音声メッセージを指定電話番号の電話機に送信するよう構成されていることを特徴とする在宅確認機能を有する電話機。
【請求項４】
請求項１、２または３記載の在宅確認機能を有する電話機において、
外部から電話回線を通じて通信を確立した後、電話回線からのＤＴＭＦ信号により暗証コードを受信し、外部から計測部の発信時間および在宅確認機能の起動および停止の設定が可能に構成されていることを特徴とする在宅確認機能を有する電話機。
【発明の詳細な説明】
【技術分野】
【０００１】
本発明は、例えば、独居老人、単身生活者等の安否を定期的に確認し、異常が生じたと推測される場合に在宅を確認する機能を有する電話機に関する。
【背景技術】
【０００２】
近年、高齢化や核家族の増加に伴って一人暮らしの老人が増えてきており、安否を確認するために近親者が電話を定期的に掛けたり、訪問しなければならない状況にある。また、従来から独居老人等を支援するシステムが各種提案されており、例えば、被介護者（独居老人）等に異常が生じた場合に、その旨を病院や管理センタに自動的に通報するシステムについての提案が各種なされている。この種のシステムとして、例えば、下記の特許文献１〜３がこれまでに提案されている。
【０００３】
特許文献１には、被介護者の安否を、各種センサーを設けることなしに、着信時におけるテンキーの番号押下によって確認し、緊急事態の場合は既存のタクシー配車システムを活用する構成が開示されている。
【０００４】
特許文献２には、センサーを用いて被監視者の安否を確認し、緊急事態であることをセンサーが判断した場合には、被監視者に警告し、一定時間内に安全であることが確認されなかった場合には、予め設定された連絡先の通信機器にダイヤル（緊急通報メッセージを発信）する構成が開示されている。
【０００５】
特許文献３には、依頼により、独居老人等の健在確認対象者に対し、センターサービス員が公衆回線を介して健在確認コールを行い、その結果を依頼者たる結果報告対象者に報告する構成が開示されている。
【特許文献１】特開２００１−２６６２７４号公報
【特許文献２】特開２００１−２８６４４号公報
【特許文献３】特開平７−１４６８８８号公報
【発明の開示】
【発明が解決しようとする課題】
【０００６】
しかしながら、上記各特許文献に開示されているものは、大規模な確認システムであり、システムを利用するためには介護業者と契約（例えば特許文献１ではタクシー会社と提携）しなければならず、高額な契約料及び使用料をユーザが負担せねばならず、この種のシステムの普及に大きな弊害となっていた。
【０００７】
また、介護を必要としない独居老人や一人暮らしの人にあっては、このようなシステムに加入することは考え難く、これらの人達に対しての安否の確認を行うことは難いのが実情であった。
【０００８】
また、特に上記特許文献２のものでは、介護側に複数のセンサー、パソコン、必要なソフトウェアなどの設備を必要とするため、介護側に高価なシステムが必要となってしまい、実用性に乏しいものであった。
【０００９】
本発明は、かかる点に鑑みてなされたものであり、その目的とするところは、安否を確認する側の労力を軽減しながらも、パーソナルコンピュータやセンサーなどの高価なシステムを用いずに電話機のみで被監視者（独居老人等の被介護者）の安否を確認することが可能な電話機を提供することにある。
【課題を解決するための手段】
【００１０】
−発明の概要−
上記の目的を達成するために講じられた本発明の解決手段は、被監視者宅に設置される電話機であって、所定時刻または所定時間毎に鳴動し、被監視者が鳴動解除の動作を行わない場合には、異常発生の可能性があるとして、予め登録されている電話番号の電話機（例えば監視者宅に設置されている電話機）に対してその旨の通知を行うようにしている。また、在宅確認機能のＯＮ、ＯＦＦを、被監視者宅の電話機ばかりでなく、外部の電話機（監視者宅に設置されている電話機）からも行えるようにしている。
【００１１】
−解決手段−
具体的に、本発明は、電話回線に接続されて他の電話機との間で通信が可能な電話機を前提とする。この電話機に対し、所定時刻または所定時間毎に発信する計測部と、予め登録された指定電話番号を記憶するメモリー部と、回線の捕捉および切断をおこなうフック処理部と、上記メモリー部に記憶されている指定電話番号に対して自動発信可能なダイヤル送出部と、上記他の電話機のオフフックを検出する極性反転検出部と、上記計測部、メモリー部、フック処理部、ダイヤル送出部、極性反転検出部との間で信号の送受信が可能であって、これらを制御する演算処理部と、上記計測部が発信動作を行う毎に在宅確認用の鳴動動作を実行する鳴動手段とを備えさせている。
【００１２】
また、メモリー部に記憶される情報として具体的には、指定電話番号、計測部の発信時間、鳴動継続時間、指定電話番号の電話機に向けて送信するための音声メッセージ、他の電話機からの設定変更操作を許可するための暗証コードが掲げられる。
【００１３】
更に、被監視者の安否が確認できなかった場合の具体的な動作としては以下のものが掲げられる。つまり、鳴動手段の鳴動開始後、所定時間以内にキーの押下操作が行われない場合、ダイヤル送出部が、メモリー部に記憶されている指定電話番号に自動発信し、在宅が未確認である旨の音声メッセージを指定電話番号の電話機に送信するようにしている。
【００１４】
これらの特定事項により、人による発信作業を行うことなしに、タイマー等で指定した時刻に電話機が鳴動し、一定時間以内に電話機のいずれかのキー（ボタン）を押下するか、オンフック状態にしない場合、指定した電話番号に自動的にダイヤル発信して回線を形成し、メッセージを流すことによって相手先に異常あることを知らせることができる。このため、パーソナルコンピュータやセンサーなど高価な装置を使用することなく、また介護サービスなどの契約をせずに安価で独居老人や単身生活者の安否を確認することが可能になる。
【００１５】
また、在宅確認機能のＯＮ、ＯＦＦを外部の電話機（監視者宅に設置されている電話機）からも行えるようにする構成としては以下のものが掲げられる。つまり、外部から電話回線を通じて通信を確立した後、電話回線からのＤＴＭＦ信号により暗証コードを受信し、外部から計測部の発信時間および在宅確認機能の起動および停止の設定が可能に構成されたものである。
【発明の効果】
【００１６】
本発明では、所定時刻または所定時間毎に鳴動し、被監視者が鳴動解除の動作を行わない場合には、異常発生の可能性があるとして、予め登録されている電話番号の電話機（例えば監視者宅に設置されている電話機）に対してその旨の通知を行うようにしている。このため、電話機のみで被監視者（独居老人等の被介護者）の安否を確認することが可能であり、パーソナルコンピュータやセンサーなどの高価な装置を使用することなく、また介護サービスなどの契約をせずに安価な構成で独居老人や単身生活者の安否を確認でき、また、確認者の労力を軽減することができる。
【発明を実施するための最良の形態】
【００１７】
以下、本発明の実施の形態を図面に基づいて説明する。
【００１８】
（電話機１の構成説明）
図１は、本実施形態に係る電話機１の構成を示すブロック図である。この電話機１は、被監視者（独居老人等の被介護者）の自宅に設置されるものである。
【００１９】
この図１に示すように、電話機１は、フック処理部９、極性反転検出部としての極性反転検出回路１０、キー操作検出部４、ＤＴＭＦ（Ｄｉａｌ  Ｔｏｎｅ  Ｍｕｌｔｉ  Ｆｒｅｑｕｅｎｃｙ）検出部１３、ダイヤル送出部としてのダイヤル送出回路８、時計部６、タイマー部７、メモリー部１２、受話器１７を備えている。
【００２０】
上記フック処理部９は、回線の捕捉および切断を行うものである。極性反転検出回路１０は、電話回線２で接続された電話機（例えば被監視者を監視する側に設置される電話機）から送信されたオンフックおよびオフフックの状態を検出する。キー操作検出部４は、本電話機（被監視者側の電話機）１が鳴動している間にこの電話機１のキー５の押下が行われたことを検出する。ＤＴＭＦ検出部１３は、電話回線２により接続された電話機から送信された「暗証コード」と「在宅確認機能の起動および停止のコマンド」と「鳴動開始時刻のコマンド」と「鳴動時間のコマンド」とを検出するようになっている。ダイヤル送出回路８は、指定された電話機（例えば上記被監視者を監視する側に設置される電話機やその監視する者が携帯している携帯電話機）に自動発信するものである。時計部６は現在時刻の情報を発信するものである。タイマー部７は、時刻を計時しながら鳴動開始時刻を設定する（例えば所定時間経過毎にＯＮ作動する）ようになっている。これら時計部６及びタイマー部７によって本発明でいう計測部が構成されている。メモリー部１２は、異常を知らせるための指定先の電話番号（上記指定された電話機の番号）、「異常があることを指定先に対して知らせるためのメッセージ」、「鳴動開始時刻」、「鳴動時間」、「在宅確認機能の起動および停止の設定を実施するための暗証コード」などを記憶している。受話器１７は、送話および受話のためのものであり、マイクロホン１９および内蔵スピーカー１８が内蔵されている。
【００２１】
更に、この電話機１は、上記内蔵マイクロホン１９からの信号を増幅するアンプ１６と、内蔵スピーカー１８および鳴動手段としてのスピーカー１５を駆動するアンプ１４と、電話機１全体を制御するプログラムが予め登録されたマイクロプロセッサからなる演算処理部２１と、在宅確認機能を起動させるための在宅機能機能スイッチ３とを備えている。尚、図１における符号１１は、他の電話機からの着信を検出する着信検出部である。
【００２２】
（電話機１の動作説明）
次に、上述の如く構成された電話機１の動作について説明する。
【００２３】
先ず、本電話機１を所持している高齢者や単身生活者（被監視者）が、本電話機１の在宅確認機能スイッチ３の「ＯＮ」を選択する。このとき、在宅確認機能スイッチ３は、在宅確認機能が起動されたことを演算処理部２１に通知する。これにより、演算処理部２１は、電話機１に設けられた表示装置２０に表示出力回路２２を経て在宅確認機能が起動していることを表示させる。
【００２４】
もしくは、安否を確認する人が本電話機１にダイヤル送信し、ＤＴＭＦ信号のコマンド送信することにより本電話機１のフック処理部９が回線を捕捉し、オフフック状態となり、通信が確立する。この後、確認側は暗証コードコマンドを入力する。これにより、電話機１はＤＴＭＦ検出部１３によって暗証コードを受け取り、演算処理部２１に通知する。演算処理部２１は、メモリー部１２に登録されている暗証コードと受け取った暗証コードとを照合し、これらが合致した場合、在宅確認機能の起動および停止の許可および鳴動開始時刻の登録を許可する。この後、電話機１は確認側の在宅確認機能の起動および停止コマンド、鳴動開始時刻コマンド、鳴動時間コマンドをＤＴＭＦ検出部１３で検出し、ＤＴＭＦ検出部１３が演算処理部２１に通知し、在宅確認機能の起動および停止、鳴動開始時刻の設定を行う。
【００２５】
在宅確認機能の起動後、演算処理部２１は、タイマー部７を起動させる。鳴動開始時刻になると、タイマー部７が演算処理部２１に通知し、演算処理部２１はメモリー部１２に予め設定されている鳴動時間を読み出し、電話機１のスピーカー１５から一定時間鳴動が行われる。この鳴動が行われている間に電話機１の何れかのキー５が押下されることによってキー操作検出部４が演算処理部２１にキーが押下されたことを通知し、演算処理部２１は鳴動を中止する。
【００２６】
また、鳴動の開始から一定時間の間にキー５が押下されなかった場合、キー操作検出部４は演算処理部２１にキー５が押下されなかったことを通知する。これにより、演算処理部２１はメモリー部１２に予め登録されている電話番号を読み出し、ダイヤル送出回路８に供給し、ダイヤル送出回路８が、予め登録されている電話番号を自動発信する。自動発信後、発信先がオフフック状態になると、そのことを本電話機１の極性反転検出回路１０が検出し、演算処理部２１に極性反転を通知する。これにより、演算処理部２１はメモリー部に予め登録されているメッセージ、たとえば「○○ですが、指定された時間に応答がありませんでした。○○に異常が発生したと思われるので、○○まで電話をしてください」を読み出し、送信を行う。この後、演算処理部２１はフック処理部９を制御し、電話機１をオンフック状態にする。
【００２７】
この動作が行われた後、所定の時間が経過すると(例えば２４時間経過後)、タイマー部７が演算処理部２１に通知し、演算処理部２１は上記と同様の動作を繰り返す。なお、在宅確認機能が起動していない場合には、設定した時刻に鳴動が繰り返されることはない。例えば、被監視者が外出する際に在宅確認機能スイッチ３を「ＯＦＦ」しておけば、在宅確認のための鳴動が繰り返されることはなくなる。
【００２８】
（電話機１の動作の要点）
次に電話機１の動作の要点について、図２のフローチャートを参照しながら説明する。先ず、在宅確認機能が起動しているか否かを判断し（ステップＳ１）、起動していなければそのまま待機して、在宅確認機能の起動を待つ。一方、在宅確認機能が起動していれば鳴動開始時間まで待機する。鳴動開始時間になり、鳴動開始時間に通話中かを判断し（ステップＳ２）、通話中の場合は、次の鳴動時間まで待機し（ステップＳ３）、ステップＳ２に戻る。一方、鳴動開始時間に電話機１が通話中でない場合には、鳴動を開始する（ステップＳ４）。そして、この鳴動開始から一定時間内に電話機１の何れかのキー５が押下されたか否かを判断し（ステップＳ５）、押下された場合には、鳴動を停止すると共に次の鳴動時間まで待機し（ステップＳ３）、ステップＳ２に戻る。一方、鳴動開始から一定時間内に何れのキー５も押下されなかった場合には、異常であると判断し、予め指定されている番号へ自動的に発信される（ステップＳ６）。次に、発信先のオフフック信号を受信したか否かを判断し（ステップＳ７）、これを受信した場合は、異常がある旨のメッセージを流し（ステップＳ８）、その後、オンフックする（ステップＳ１１）。発信先のオフフック信号を一定時間受信しなかった場合（ステップＳ７でＮＯ判定された場合）、リダイヤルを実行し（ステップＳ９）、発信先のオフフック信号を受信したか否かを判断し（ステップＳ１０）、受信した場合は、異常がある旨のメッセージを流す（ステップＴ８）。一定時間内にオフフック信号を受信しなかった場合には、オンフックする（ステップＳ１１）。複数のダイヤル先がある場合（指定されている番号が複数登録されている場合）、それら全てのダイヤル先に発信したかを判断し（ステップＳ１２）、全ての指定したダイヤル先に発信してればオンフック（ステップＳ１３）し、未だ全てのダイヤル先への発信が完了していなければステップＳ６に戻って上記の動作を繰り返す。
【００２９】
このように、本実施形態によれば、被介護者宅の電話機１が所定時間毎に鳴動し、鳴動している間に電話機１のキー５を押下しない場合、所定の電話機（予め登録されている電話番号）に自動発信し、メッセージを送信することができる。このため、電話機のみで被監視者（独居老人等の被介護者）の安否を確認することが可能であり、比較的安価なシステムで確実な確認動作を行うことが可能になる。
【００３０】
−その他の実施例−
以上説明した実施形態では、異なる住居にそれぞれ設置された電話機同士の通信に本発明を適用した場合について説明した。本発明はこれに限らず、同一住居内の電話機同士、つまり、親機と子機との間の通信に対しても適用することが可能である。
【００３１】
また、音声メッセージの発信形態としては、発信先の電話機のオフフック動作を待ってその受話器に内蔵されたスピーカからメッセージを発信する場合に限らず、発信先の電話機のオフフック動作を待たずに外部スピーカからメッセージを拡声するようにしてもよい。
【００３２】
また、鳴動開始タイミングとしては、タイマー部７において設定された所定時間毎の鳴動に限らず、時計部６によって認識される時刻が予め設定された所定時刻に達する毎に鳴動動作を行うようにしてもよい。
【図面の簡単な説明】
【００３３】
【図１】実施形態に係る電話機の構成を示すブロック図である。
【図２】実施形態に係る電話機の動作手順を示すフローチャート図である。
【符号の説明】
【００３４】
１        電話機
２        電話回線
５        キー
６        時計部（計測部）
７        タイマー部（計測部）
８        ダイヤル送出回路（ダイヤル送出部）
９        フック処理部
１０      極性反転検出回路（極性反転検出部）
１２      メモリー部
１５      スピーカー（鳴動手段）
２１      演算処理部
【図１】
2005094342.tif 000003
【図２】
2005094342.tif 000004